(57)【要約】【課題】バイク、スクーターなどで夜間走行する場合、ワンタッチで取り外せ、繰り返し使用でき、コンパクトに収納できるものがなかった。また昼間走行する場合、強い日差しによって視界が遮られることなく安全に走行することを提供するものである。また紫外線による顔面の日焼け防止、目の保護をするヘルメット用フェイスシェードを提供するものである。またヘルメット格納時にヘルメットシールドに傷がつくのを防ぐシェードを提供するものである。【解決手段】ヘルメットシールドに、紫外線防止処理を施し、遮光性をもたせ、紫外線を軽減し、視界を確保する比較的軟質な材質で、簡単に着脱できるシェードをほぼ同じ形のヘルメットシール内側または外側に取り付ける。【選択図】図１
0003128719.tif 000002
【実用新案登録請求の範囲】
【請求項１】
紫外線(UV)防止処理、及び曇り止め処理を施したヘルメットシールドの内側にワンタッチで着脱可能の折り曲げ可能な程度の軟質な塩化ビニールを使用したシェード。
【請求項２】
一体化しているが折り返し可能な程度の軟質で粘着性のある部分と、折り曲げ可能な軟質な下部、ヘルメットシールドの内側の曲面に沿うことが出来る硬さを持つ塩化ビニールなどのシェードである。
【請求項３】
シェード全体の曲面はシェード装着時にヘルメットシールドとシェードとの間に気泡が入り、視界が悪くならないように粘着性は弱く、またヘルメットシールド内側の曲面に沿うことかできる程度の硬さを持ったシェード。
【請求項４】
カラーはスモーク、ブラウン、イエロー、ブラックなどのバリエーションがあるがいずれも装着時に視界を妨げない程度のものとするシェード。
【請求項５】
ハーフフェイスの場合下部からの風の巻き込みにより、シェードの安定性が損なわれることを防ぐため、クリップなどを使用し安全かつ安定して使用する琴が出来るシェード。
【請求項６】
ヘルメットシールドは表面に傷がつきやすく、長期にわたって使用することにより視界が損なわれてくるが，本考案のシェードを格納時にシールド外側に取り付けることによって，傷がつくのを防ぐことの出来るシェード。
【考案の詳細な説明】
【技術分野】
【０００１】
バイク、スクーターなどのヘルメットシールドに取り付け、太陽光を遮り、紫外線と日焼け、ヘルメットシールドの傷を防止するシェードに関するものである
【考案の開示】
【考案が解決しようとする課題】
【０００２】
従来のフェイスシェードは価格が割高であり、シールド交換に手間がかかり硬質でコンパクトに持ち歩くことは困難であった。太陽光を遮り紫外線から顔面の日焼け、目の保護をするためのワンタッチで着脱可能で繰り返し使用でき、かつコンパクトに収納できるシールドを提供することを目的とするものである。
バイク、スクーターなどで夜間走行する場合、ワンタッチで取り外せ、繰り返し使用でき、コンパクトに収納できるものがなかった。また昼間走行する場合、強い日差しによって視界が遮られることなく安全に走行することを提供するものである。また紫外線による顔面の日焼け防止、目の保護をするヘルメット用フェイスシェードを提供するものである。
フェイスシールドは格納時にシールド表面に傷がつきやすく，次第に前方が見えにくくなるという弱点があったため、傷がつくのを防ぐシェードを提供するものである。
【課題を解決するための手段】
【０００３】
シェードは紫外線を軽減、または防止できる遮光性をもたせ、ヘルメットシールド内側の曲面に沿うことが出来る比較的硬質な材質で出来ており、さらにシェード部分に弱い粘着性があり繰り返し使用できる。
紫外線防止処理を施し、遮光性をもたせ、紫外線を軽減し、視界を確保する材質で、簡単に着脱できるシェードをほぼ同じ形のヘルメットシール内側，又は外側に取り付ける。
【考案の効果】
【０００４】
全タイプのヘルメットシールドに適応し、紫外線とまぶしさを防止、または軽減させ、繰り返し使用できるので経済的である。外側に取り付けることによりシェードに傷がつくことを防ぐことに役立つものである。
【考案を実施するための最良の形態】
【０００５】
ヘルメットシールドの内側上部にシェード上部の折り曲げ部分を引っ掛けて、安定性をもたせる。
次に本考案の形態について図を用いて説明する。図1は本考案シェードをヘルメットシールドに取り付けた状態の側面図である。図2は本考案シェードを取り付けてヘルメットシールドを押し上げて開けた状態の側面図である。図3は本考案のみの折り曲げしていない状態のものである。図4はヘルメットシールドに取り付ける前にシェード上部を折り曲げた状態である。図5はヘルメットシールドに本考案シールドを内側に貼り付けた状態の断面図である。図6はヘルメットシールドに本考案シェードを外側に取り付けた状態の断面図である。
【実施例】
【０００６】
ヘルメットフェイスシールドの内側、または外側にシェードを取り付ける。
【図面の簡単な説明】
【０００７】
【図１】本考案シェードをヘルメットシールドに取り付けた状態の側面図である。
【図２】本考案シェードを取り付けてヘルメットシールドを押し上げて開けた状態の側面図である。
【図３】本考案のみの折り曲げしていない状態のものである。
【図４】ヘルメットシールドに取り付ける前にシェード上部を折り曲げた状態である。
【図５】ヘルメットシールドに本考案シェードを内側に貼り付けた状態の断面図である。
【図６】ヘルメットシールドに本考案シェードを外側に取り付けた状態の断面図である。
【符号の説明】
【０００８】
1    折り曲げ可能な軟質部分で色はクリア
2    本考案シェード本体
3    ヘルメットシールド
【図１】
0003128719.tif 000003
【図２】
0003128719.tif 000004
【図３】
0003128719.tif 000005
【図４】
0003128719.tif 000006
【図５】
0003128719.tif 000007
【図６】
0003128719.tif 000008
【手続補正書】
【提出日】平成18年10月11日(2006.10.11)
【手続補正１】
【補正対象書類名】実用新案登録請求の範囲
【補正対象項目名】全文
【補正方法】変更
【補正の内容】
【実用新案登録請求の範囲】
【請求項１】
紫外線(UV)防止処理，及び曇り止め処理を施したヘルメットシールドの内側にワンタッチで着脱可能なヘルメットシールドの内側に沿う形状としたものを使用したシェード。
【請求項２】
一体化しているが折返し可能な程度の軟質で粘着性のある部分と、折り曲げ可能な軟質な下部、ヘメルットシールドの内側の曲面に沿うことが出来る硬さを持つことを特徴とする請求項１記載のシェード。
【請求項３】
シェード全体の曲面はシェード装着時にヘルメットシールドとシェードとの間に気泡が入り，視界が悪くならないように粘着性は弱く、またヘルメットシールドの内側の曲面に沿うことが出来る程度の硬さを持つ塩化ビニールであることを特徴とするシェード。
【請求項４】
カラーはスモーク、ブラウン，イエロー、ブラックなどのバリエーションがあるがいずれも視界を妨げない程度のものとすることを特徴とする請求項１記載のシェード。
【請求項５】
ハーフフェイスの場合、下部からの風の巻き込みにより、シェードの安定性が損なわれることを防ぐため、クリップなどを使用し安全かつ安定して使用することが出来ることを特徴とする請求項１記載のシェード。
【請求項６】
ヘルメットシールドは表面に傷がつきやすく、長期にわたって使用することにより視界が損なわれてくるが、本考案のシェードを格納時にシールド外側に取り付けることによって傷がつくことを防ぐことが出来ることを特徴とする請求項１記載のシェード。
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
紫外線(UV)防止処理，及び曇り止め処理を施したヘルメットシールドの内側にワンタッチで着脱可能なヘルメットシールドの内側に沿う形状としたものを使用したシェード。
【請求項２】
一体化しているが折返し可能な程度の軟質で粘着性のある部分と、折り曲げ可能な軟質な下部、ヘメルットシールドの内側の曲面に沿うことが出来る硬さを持つことを特徴とする請求項１記載のシェード。
【請求項３】
シェード全体の曲面はシェード装着時にヘルメットシールドとシェードとの間に気泡が入り，視界が悪くならないように粘着性は弱く、またヘルメットシールドの内側の曲面に沿うことが出来る程度の硬さを持つ塩化ビニールであることを特徴とする請求項１記載のシェード。
【請求項４】
カラーはスモーク、ブラウン，イエロー、ブラックなどのバリエーションがあるがいずれも視界を妨げない程度のものとすることを特徴とする請求項１記載のシェード。
【請求項５】
ハーフフェイスの場合、下部からの風の巻き込みにより、シェードの安定性が損なわれることを防ぐため、クリップなどを使用し安全かつ安定して使用することが出来ることを特徴とする請求項１記載のシェード。
【請求項６】
ヘルメットシールドは表面に傷がつきやすく、長期にわたって使用することにより視界が損なわれてくるが、本考案のシェードを格納時にシールド外側に取り付けることによって傷がつくことを防ぐことが出来ることを特徴とする請求項１記載のシェード。